(57)【要約】【課題】縮小画像（サムネイル）の一覧表示において、規定された画像サイズと異なるサイズの画像の縮小画像がある場合であっても、煩雑な操作を行うことなく、視認性のよい縮小画像の一覧表示を行うことができる画像表示装置を提供する。【解決手段】表示部１０１にて一覧表示を行う対象の複数の縮小画像のうち横長画像（パノラマ画像）に対応した縮小画像があるか否かを検出する検出部２０６と、複数の縮小画像を表示画面１０１ａの表示エリア群（サムネイル表示枠）に一覧表示し、検出部２０６により横長画像に対応した縮小画像があると検出した場合に、横長画像３０１に対応した縮小画像を表示させる各表示エリア（サムネイル表示枠ＦＲ）にて、横長画像３０１に対応した縮小画像を長手方向にスクロール表示する表示部１０１およびサムネイル表示部２０８を設ける。【選択図】図１
2010104013.tif 000002
【特許請求の範囲】
【請求項１】
複数の縮小画像を表示画面の表示エリア群に一覧表示する表示手段と、
前記表示手段にて前記一覧表示を行う対象の前記複数の縮小画像のうち横長画像に対応した縮小画像があるか否かを検出する横長画像検出手段と、を有し、
前記表示手段は、前記横長画像検出手段により前記横長画像に対応した縮小画像があると検出した場合に、前記横長画像に対応した縮小画像を表示させる前記各表示エリアにて、前記横長画像に対応した縮小画像をスクロール表示する画像表示装置。
【請求項２】
前記横長画像に対応した縮小画像を表示させる前記各表示エリアにて、前記横長画像に対応した縮小画像をスクロールした縮小動画像を生成する縮小動画像生成手段と、
前記縮小画像生成手段が生成した前記縮小動画像を記憶する記憶手段と、を有し、
前記表示手段は、前記横長画像に対応した縮小画像を表示させる前記各表示エリアにて、前記記憶手段に記憶されている前記横長画像に対応した前記縮小動画像を表示する請求項１に記載の画像表示装置。
【請求項３】
複数の縮小画像を表示画面の表示エリア群に一覧表示する表示手段と、
前記表示手段にて前記一覧表示を行う縮小画像に所定の画素数以上の高精細画像に対応した縮小画像があるか否かを検出する高精細画像検出手段と、を有し、
前記表示手段は、前記高精細画像検出手段により前記高精細画像に対応した縮小画像があると検出した場合に、前記高精細画像に対応した縮小画像を表示させる前記各表示エリアにて、前記高精細画像に対応した縮小画像をスクロール表示する画像表示装置。
【請求項４】
前記高精細画像に対応した縮小画像を表示させる前記各表示エリアにて、前記高精細画像に対応した縮小画像をスクロールした縮小動画像を生成する縮小動画像生成手段と、
前記縮小画像生成手段が生成した前記縮小動画像を記憶する記憶手段と、を有し、
前記表示手段は、前記高精細画像に対応した縮小画像を表示させる前記各表示エリアにて、前記記憶手段に記憶されている前記高精細画像に対応した前記縮小動画像を表示する請求項３に記載の画像表示装置。
【発明の詳細な説明】
【技術分野】
【０００１】
本発明は、たとえば、画像のサムネイル（縮小画像）を一覧表示する画像表示装置に関するものである。
【背景技術】
【０００２】
たとえば、デジタルカメラなどの装置において、記録された画像を一覧表示（マルチ画面表示）する場合に、その画像を縮小したサムネイル（縮小画像）を表示画面上に並べて一覧表示する装置が知られている（たとえば、特許文献１参照。）。
【０００３】
詳細には、一般的なサムネイル表示では、所定の大きさのサムネイルを表示する枠（サムネイル表示枠）内に収まるように元の画像からサムネイルを生成し、表示画面内にマトリックス状に、たとえば縦３列×横３行のサムネイル表示枠を並べ、そのサムネイル表示枠内にサムネイルを表示する。
【０００４】
たとえば、記録画像のファイル名の一覧表示では、記録している画像ファイルが増えると所望の画像を判別しづらいが、サムネイル表示では記録している画像ファイルが増えても、どのような画像であるのかを大雑把に把握することができるので視認性に優れ、複数の記録画像から所望の画像を短時間で判別することができる。
【０００５】
また、このサムネイル表示では、たとえばユーザが所望のサムネイルを選択すると、その選択されたサムネイルの元画像が表示される技術であり、この技術はパーソナルコンピュータ、デジタルカメラや携帯電話等で採用されている。
【先行技術文献】
【特許文献】
【０００６】
【特許文献１】特開平１１−１８７３５６号公報
【発明の概要】
【発明が解決しようとする課題】
【０００７】
しかし、一般的な装置では、どのようなサイズの画像でも、予め規定されたサムネイル表示枠の大きさに縮小したサムネイルを生成するので、たとえば撮影画像の縦横比が３：４の一般的なカメラで撮影した撮影画像をサムネイル表示する場合と比べて、規定された画像サイズと異なる画像、たとえば縦横比が約１：５などの横長画像（パノラマ画像）を含むサムネイル表示を行う場合には、図１２に示すように、横方向に細長い棒状のサムネイル画像となり、そのサムネイルを見ただけでは直感的に元画像がどのような画像であるかを認識することが困難な場合がある。
【０００８】
ところで、この問題点を解決するために、たとえば一覧表示ではなく単純に横長画像をスクロール表示したり、単純にサムネイルを順次拡大表示する装置が知られている。
しかし、この装置は、サムネイルの一覧表示をしていないので、複数の記録画像から所望の画像を短時間で判別することが困難である。
【０００９】
また、複数のサムネイルを一列に一覧表示する場合に、中央に位置するサムネイルはサムネイルの全体像を表示し、端部のサムネイルになるほど左右につめて表示する装置が知られている。
しかし、この装置では、たとえば、右端のサムネイルなら左半分が隠れるようにサムネイルの一部を表示したとしても、端部のサムネイルでは、サムネイルの全体像のうち一部分しか表示されていないので、そのサムネイルの全体像を把握することが困難である。
【００１０】
また、サムネイルの一覧表示時に所望の一サムネイルを選択した場合に、他のサムネイルの一覧表示はそのままに、その選択したサムネイルのみを同位置で拡大する装置が知られている。
しかし、この装置では、たとえばサムネイルの全体像を把握したい場合に、そのサムネイルを選択するという煩雑な操作が必要である。
【００１１】
また、サムネイルの一覧表示時に所望の一サムネイルを選択した場合に、その選択したサムネイルを徐々に表示画面いっぱいに拡大表示する装置が知られている。
しかし、この装置では、たとえば、サムネイルの全体像を把握したい場合に、そのサムネイルを選択するという煩雑な操作が必要であり、また選択した場合に他のサムネイルの一覧が見えなくなる。
【００１２】
また、近年、デジタルカメラ等の携帯機器の記録画像が高画素化されているが、携帯機器内の表示装置では携帯性の観点から表示可能な画素数に限界がある。
このため、たとえば記録画素数と表示装置の表示画素数との間に大きな差が生じる場合がある。
このため高画素の画像（高精細画像）を、規定されたサイズのサムネイル枠内にサムネイル表示すると、一般的な画像のサムネイル表示と比べて縮小率が大きくなりすぎて画像がつぶれてしまい、ユーザは元の画像を直感的に把握できない場合がある。
【００１３】
本発明は、かかる事情に鑑みてなされたものであり、その目的は、縮小画像（サムネイル）の一覧表示（マルチ画面表示）において、一覧表示で視認性の低い画像の縮小画像がある場合であっても、視認性のよい縮小画像の一覧表示を行うことができる画像表示装置を提供することにある。
【課題を解決するための手段】
【００１４】
本発明の第１の観点の画像表示装置は、複数の縮小画像を表示画面の表示エリア群に一覧表示する表示手段と、前記表示手段にて前記一覧表示を行う対象の前記複数の縮小画像のうち横長画像に対応した縮小画像があるか否かを検出する横長画像検出手段と、を有し、前記表示手段は、前記横長画像検出手段により前記横長画像に対応した縮小画像があると検出した場合に、前記横長画像に対応した縮小画像を表示させる前記各表示エリアにて、前記横長画像に対応した縮小画像をスクロール表示する。
【００１５】
本発明の第２の観点の画像表示装置は、複数の縮小画像を表示画面の表示エリア群に一覧表示する表示手段と、前記表示手段にて前記一覧表示を行う縮小画像に所定の画素数以上の高精細画像に対応した縮小画像があるか否かを検出する高精細画像検出手段と、を有し、前記表示手段は、前記高精細画像検出手段により前記高精細画像に対応した縮小画像があると検出した場合に、前記高精細画像に対応した縮小画像を表示させる前記各表示エリアにて、前記高精細画像に対応した縮小画像をスクロール表示する。
【発明の効果】
【００１６】
本発明によれば、縮小画像（サムネイル）の一覧表示（マルチ画面表示）において、視認性のよい縮小画像の一覧表示を行うことができる画像表示装置を提供することができる。
【図面の簡単な説明】
【００１７】
【図１】本発明に係る画像表示装置を採用した携帯電話の一具体例を示す図である。
【図２】図１に示した本発明に係る画像表示装置を採用した携帯電話の機能ブロック図である。
【図３】本発明に係るサムネイル表示の動作の一具体例を説明するための図である。
【図４】図２に示した画像表示装置１００のサムネイル（縮小画像）生成時の動作の一具体例を説明するためのフローチャートである。
【図５】図２に示した画像表示装置１００のサムネイル（縮小画像）表示時の動作の一具体例を説明するためのフローチャートである。
【図６】本発明の第２実施形態に係る画像表示装置１００のサムネイル表示時の動作を説明するための図である。
【図７】図６に示した画像表示装置１００のサムネイル（縮小画像）生成時の動作の一具体例を説明するためのフローチャートである。
【図８】本発明の第３実施形態に係る画像表示装置１００のサムネイル表示時の動作を説明するための図である。
【図９】本発明の第３実施形態に係る画像表示装置１００のサムネイル（縮小画像）生成時の動作の一具体例を説明するためのフローチャートである。
【図１０】本発明の第４実施形態に係る画像表示装置のサムネイル表示時の動作を説明するための図である。
【図１１】図１０に示した画像表示装置のサムネイル表示時の動作を説明するためのフローチャートである。
【図１２】一般的なサムネイル表示を説明するための図である。
【発明を実施するための形態】
【００１８】
以下、本発明に係る画像表示装置の一実施形態を図面を参照しながら説明する。
【００１９】
〔第１実施形態〕
図１は、本発明に係る画像表示装置の第１実施形態を示す図である。
画像表示装置１００は、たとえば、パーソナルコンピュータ、携帯電話、デジタルカメラ、ＰＤＡ（Personal Digital Assistant）や、腕時計などの表示装置である。
また、画像表示装置１００は、画像の保存機能や閲覧（表示）機能を有する。
また、画像表示装置１００は、通信機能や撮影機能を有していてもよい。
【００２０】
本実施形態では、たとえば図１に示すように、本発明に係る画像表示装置を採用した携帯用コンピュータ、具体的には携帯電話を説明する。
【００２１】
画像表示装置１００は、図１に示すように、装置前面部に、本発明に係る画像表示を行う表示部１０１、およびユーザにより操作されるキー操作部１０２を有する。
【００２２】
図２は、図１に示した画像表示装置を採用した携帯電話の機能ブロック図である。
【００２３】
画像表示装置１００は、図２に示すように、表示部１０１、キー操作部１０２、撮像部１０３、通信部１０４、メモリ１０５、記憶装置１０６、制御部（ＣＰＵ：Central processing unit）２００を有する。
【００２４】
各構成要素は、たとえばデータ通信線（バス）ＢＳ１により接続されている。
【００２５】
表示部１０１は、制御部２００の制御により、本発明に係る画像の表示を行う。
表示部１０１は、たとえば液晶表示装置（ＬＣＤ：Liquid crystal display）や、有機ＥＬ（Electroluminescence）表示装置などの表示装置である。
【００２６】
表示部１０１は、たとえば元画像に対応する複数の縮小画像を表示画面１０１ａの表示エリア群（マトリックス形状に配置された複数のサムネイル表示枠）に、それぞれ表示することで、表示部１０１は、複数の縮小画像の一覧表示を行う。
【００２７】
また、表示部１０１は、本発明に係る横長画像に対応した縮小画像があると検出した場合に、その横長画像に対応した縮小画像を表示させる各表示エリアにて、横長画像に対応した縮小画像をスクロール表示する。
【００２８】
詳細には、後述するように表示部１０１は、横長画像に対応した縮小画像を横方向にスクロールする縮小動画像を表示する。
【００２９】
キー操作部１０２は、ユーザにより操作される入力装置である。
キー操作部１０２は、ユーザの操作に応じた信号を制御部２００に出力する。
【００３０】
撮像部１０３は、たとえば被写体を撮像した結果に応じて得られた画像を電気信号として制御部２００に出力する。
撮像部１０３は、たとえば不図示の光学レンズ系、ＣＣＤ（Charge coupled device）撮像素子やＣＭＯＳ（Complementary metal-oxide semiconductor）型撮像素子、アナログ−デジタル変換回路などを有する。
【００３１】
通信部１０４は、制御部２００の制御により、たとえば他の通信装置と本発明に係る画像に関するデータ通信を行う。
たとえば、通信部１０４は、無線方式や有線方式によりデータ通信を行う。
【００３２】
メモリ１０５は、たとえば、制御部２００の制御により、本発明に係る機能を実行させるためのプログラムや、元画像とサムネイル画像（縮小画像）とを関連付けるデータであるリンクテーブルＴＢ１などを記憶する。
また、メモリ１０５は、制御部２００によるワークスペースとして用いられる。
【００３３】
メモリ１０５は、たとえばＲＡＭ（Random access memory）やＲＯＭ（Read only memory）などの半導体メモリにより構成されている。
【００３４】
記憶装置１０６は、たとえば制御部２００の制御により、本発明に係る画像やサムネイル（縮小画像、縮小動画像など）を記憶する。
記憶装置１０６は、たとえば半導体メモリや、磁気ディスク、光磁気ディスク等の記憶装置を有する。
【００３５】
制御部２００は、たとえば、本発明に係るプログラムを実行することにより、装置全体を統括的に制御する。
【００３６】
制御部２００は、たとえば、図２に示すように、サムネイル生成部２０１、第１の動画サムネイル生成部２０２ａ、記憶制御部２０３、元画像関連付け部２０４、サムネイル記憶部２０５、検出部２０６、動画サムネイル切替部２０７、サムネイル表示部２０８、および画像選択処理部２０９を有する。
【００３７】
第１の動画サムネイル生成部２０２ａは本発明に係る縮小動画像生成手段の一例に相当し、記憶制御部２０３、メモリ１０５、および記憶装置１０６は、本発明に係る記憶手段の一例に相当し、検出部２０６は本発明に係る横長画像検出手段の一例に相当し、サムネイル表示部２０８、および表示部１０１は本発明に係る表示手段の一例に相当する。
【００３８】
サムネイル生成部２０１は、たとえば撮像部１０３により撮像された画像や、通信部１０４により受信した画像、記憶装置１０６に記憶されている画像などの縮小画像（サムネイル）を生成する。
【００３９】
詳細には、サムネイル生成部２０１は、表示部１０１の表示画面内にたとえば縦３列×横３行のマトリックス状に配置されたサムネイル表示枠であって、予め規定された所定のサイズ内に収まるように元の画像からサムネイルを生成する。
【００４０】
たとえば、サムネイル生成部２０１は、通常時には予め規定された縦横比が３：４の元画像から、予め規定された縦横比が３：４の縮小静止画像（サムネイル）を生成する。
【００４１】
また、サムネイル生成部２０１は、第１の動画サムネイル生成部２０２ａを有する。
【００４２】
図３は、図２に示した第１の動画サムネイル生成部２０２ａが生成する動画サムネイルを説明するための図である。
【００４３】
第１の動画サムネイル生成部２０２ａは、図３に示すように、横長画像に対応した縮小画像を表示させる各表示エリアにて、その横長画像に対応した縮小画像をスクロールした縮小動画像、詳細には横長画像に対応した縮小画像を長手方向に順次ずらした縮小動画像を生成する。
【００４４】
詳細には、第１の動画サムネイル生成部２０２ａは、たとえばサムネイル処理対象の画像が予め規定されたサイズと異なる画像、詳細には予め規定されたサムネイル表示枠１０内に表示されるサムネイルの縦横比が３：４であり、サムネイル処理対象の画像３０１の縦横比がたとえば１：５（横長画像）の場合には、そのサムネイル処理対象の画像３０１を縦横比はそのままに縮小画像４０１を生成し、予め規定されたサイズのサムネイル表示枠１０中にて、横長画像３０１に対応する縮小画像４０１を横方向（長手方向）にスクロールして表示するような縮小動画像（動画サムネイル）４０２を生成する。
【００４５】
この際、縮小動画像４０２の動画フォーマットとしては、既存の規定された各種動画フォーマットを用いてよい。
【００４６】
また、サムネイル生成部２０１は、画像ごとにサムネイルとしての縮小動画像（動画サムネイル）や縮小静止画（静止画サムネイル）を設定することができる。
【００４７】
記憶制御部２０３は、たとえば、サムネイル生成部２０１により生成されたサムネイル、詳細には静止画サムネイルや動画サムネイルを、メモリ１０５や記憶装置１０６に記憶する制御を行う。
【００４８】
記憶制御部２０３は、詳細には図２に示すように、元画像関連付け部２０４、およびサムネイル記憶部２０５を有する。
【００４９】
元画像関連付け部２０４は、サムネイル生成部２０１により生成されたサムネイルを基に、記憶装置１０６に記憶するサムネイルと元の画像との関連付けを示すリンクテーブルＴＢ１を更新する。
【００５０】
リンクテーブルＴＢ１は、たとえば図２に示すように、表示順データ、サムネイル名データ、元画像名データ、および属性データを関連付けて記憶する。
【００５１】
表示順データは、一覧表示する際のサムネイルの順番を示すデータである。
【００５２】
サムネイル名データは、元画像を基に生成されたサムネイルの名称を示すデータである。
【００５３】
元画像名データは、サムネイル処理対象の元の画像の名称を示すデータである。
【００５４】
属性データは、たとえば動画サムネイルや静止画サムネイルなどのサムネイルの属性を示すデータである。
【００５５】
サムネイル記憶部２０５は、サムネイル生成部２０１により生成されたサムネイルを、たとえばリンクテーブルＴＢ１に基づいて記憶装置１０６に記憶する。
【００５６】
検出部２０６は、表示部１０１にて一覧表示を行う対象の複数の縮小画像のうちに横長画像に対応した縮小画像があるか否かを検出する。
【００５７】
動画サムネイル切替部２０７は、サムネイル表示枠１０に表示するサムネイルを切り替える。
たとえば、動画サムネイル切替部２０７は、サムネイル切替指示が入力された場合に、サムネイル表示枠１０に動画サムネイルまたは静止画サムネイルを切り替えて表示させる。
【００５８】
また、動画サムネイル切替部２０７によりサムネイルが切り替えられた場合には、たとえばサムネイル生成部２０１によりサムネイルを生成しなおしてもよい。
【００５９】
サムネイル表示部２０８は、メモリ１０５に記憶されているリンクテーブルＴＢ１を基に、表示部１０１の表示画面内の各表示エリアにて、本発明に係るサムネイル（縮小動画像）を一覧表示する。
【００６０】
また、サムネイル表示部２０８は、検出部２０６によりサムネイル一覧表示時に、横長画像に対応した縮小画像があると検出した場合に、横長画像に対応した縮小画像を表示させる各表示エリアにて、その横長画像に対応した縮小画像を横方向にスクロールして表示する。
【００６１】
詳細には、サムネイル表示部２０８は、検出部２０６によりサムネイル一覧表示時に、リンクテーブルＴＢ１に基づいて横長画像に対応した縮小画像があると検出した場合に、横長画像に対応した縮小画像を表示させる各表示エリアにて、リンクテーブルＴＢ１に応じて、サムネイル生成部２０１により生成され記憶装置１０６に記憶されている、横長画像に対応した動画サムネイルを表示する。
【００６２】
画像選択処理部２０９は、サムネイル一覧表示中に、たとえばキー操作部１０２により、その一覧表示された複数のサムネイルの中から所望のサムネイルを選択させる指示信号が入力された場合に、その指示信号およびリンクテーブルＴＢ１を基に、選択されたサムネイルに関連付けられている元の画像を記憶装置１０６から読み出して、表示部１０１に表示させる。
【００６３】
本実施形態に係る画像表示装置１００は、予めサムネイル生成部２０１が縮小画像（サムネイル）を生成して記憶装置１０６に記憶し、サムネイル表示時に記憶装置１０６から読み出したサムネイルを一覧表示する。
【００６４】
まず、サムネイルを生成する動作について説明する。
【００６５】
図４は、図２に示した画像表示装置１００のサムネイル（縮小画像）生成時の動作の一具体例を説明するためのフローチャートである。
【００６６】
図４を参照しながら画像表示装置１００のサムネイル生成時の動作を、制御部２００の動作を中心に説明する。
【００６７】
ステップＳＴ１において、制御部２００は、一覧表示を終了するか否かを判断する。
たとえば制御部２００は、キー操作部１０２から入力された信号を基に、一覧表示を終了するか否かを判断し、判断の結果一覧表示を終了しないと判断した場合に、ステップ２の処理に進み、終了すると判断した場合に縮小画像（サムネイル）生成に関する処理を終了する。
【００６８】
ステップＳＴ２において、制御部２００は、たとえば記憶装置１０６に記憶されている画像から一覧表示する画像を特定する。
【００６９】
ステップＳＴ３において、サムネイル生成部２０１は、元の画像が予め規定されたサイズと異なる画像であるか否を判断し、元の画像が予め規定されたサイズと異なる画像であると判断した場合にステップＳＴ４の処理に進み、元の画像が予め規定されたサイズであると判断した場合にステップＳＴ６の処理に進む。
【００７０】
詳細には、サムネイル生成部２０１は、たとえば元の画像が予め規定されたサイズ、たとえば縦横比が３：４の画像と異なる横長画像（縦横比が１：５等）であるか否かを判断し、横長画像であると判断した場合にステップＳＴ４の処理に進み、横長画像でないと判断した場合にステップＳＴ６の処理に進む。
【００７１】
ステップＳＴ４において、第１の動画サムネイル生成部２０２ａは、たとえば図２に示すように、横長画像３０１に対応した縮小画像を表示させる各表示エリア（サムネイル表示枠１０）内に表示させる、横長画像３０１に対応した縮小画像４０１を生成する。
【００７２】
この際、第１の動画サムネイル生成部２０２ａは、横長画像３０１に対応する縮小画像４０１の縦サイズが、サムネイル表示枠１０の縦サイズ以下となるように、横長画像３０１の縦横比をそのままに縮小して縮小画像４０１を生成する。
【００７３】
つまり、第１の動画サムネイル生成部２０２ａは、元画像とサムネイル表示枠１０の大きさの比から演算される縮小率で元画像を縮小して縮小画像（サムネイル）を生成する。
【００７４】
この際、第１の動画サムネイル生成部２０２ａは、画像内の被写体を認識できる範囲内でサムネイル（縮小画像４０１）を生成することが好ましい。
【００７５】
ステップＳＴ５において、第１の動画サムネイル生成部２０２ａは、横長画像３０１に対応した縮小画像４０１を表示させる各表示エリア（サムネイル表示枠１０）にて、横長画像３０１に対応した縮小画像４０１を長手方向（横方向）にスクロールした縮小動画像４０２を生成して、ステップＳＴ７の処理に進む。
この縮小動画像４０２を動画サムネイルともいう。
【００７６】
また、第１の動画サムネイル生成部２０２ａは、縮小動画像４０２を生成する際に、縮小画像４０１をスクロールすることで縮小画像４０１の全体を見渡せる縮小動画像４０２を生成する。
【００７７】
ステップＳＴ６において、サムネイル生成部２０１は、元の画像が予め規定されたサイズ、つまり縦横比が３：４である通常の画像であると判断した場合（横長画像でないと判断した場合）に、元の画像を、サムネイル表示枠１０内に収まるように、予め規定された縦横サイズが３：４の縮小画像（サムネイル）を生成し、ステップＳＴ７の処理に進む。
【００７８】
ステップＳＴ７において、元画像関連付け部２０４は、サムネイル生成部２０１や第１の動画サムネイル生成部２０２ａにより生成されたサムネイル（縮小動画像４０２）に元画像へのリンクを付けてリンクテーブルＴＢ１を生成する。
【００７９】
ステップＳＴ８において、サムネイル記憶部２０５は、サムネイル生成部２０１や第１の動画サムネイル生成部２０２ａにより生成されたサムネイル（縮小動画像４０２）を、リンクテーブルＴＢ１に基づいて記憶装置１０６に保存（記憶）し、ステップＳＴ１の処理に戻る。
【００８０】
次に、生成したサムネイル（縮小画像、縮小動画像）を表示する動作を説明する。
【００８１】
図５は、図２に示した画像表示装置１００のサムネイル（縮小画像）表示時の動作の一具体例を説明するためのフローチャートである。
【００８２】
図５を参照しながら画像表示装置１００のサムネイル表示時の動作を、制御部２００の動作を中心に説明する。
【００８３】
ステップＳＴ１１において、制御部２００は、たとえばキー操作部１０２からサムネイル表示指示を示す信号が入力されたか否かを判断し、表示指示を示す信号が入力されたと判断した場合に、ステップＳＴ１２の処理に進む。
【００８４】
ステップＳＴ１２において、検出部２０６は、たとえば、メモリ１０５に記憶されているリンクテーブルＴＢ１に基づいて、表示部１０１にて一覧表示を行う対象の複数の縮小画像のうちに横長画像に対応した縮小画像があるか否かを検出し、横長画像に対応した縮小画像があると検出した場合にステップＳＴ１３の処理に進み、検出しない場合にステップＳＴ１４の処理に進む。
【００８５】
ステップＳＴ１３において、サムネイル表示部２０８は、検出部２０６により横長画像３０１に対応した縮小画像があると検出した場合に、表示部１０１の表示画面内において、横長画像３０１に対応した縮小画像を表示させる各表示エリア（サムネイル表示枠１０）にて、横長画像３０１に対応した縮小画像を長手方向（横方向）に順次ずらした（スクロールした）画像を表示する。
【００８６】
詳細には、サムネイル表示部２０８は、メモリ１０５に記憶されているリンクテーブルＴＢ１を基に、記憶装置１０６に記憶されている第１の動画サムネイル生成部２０２ａにより生成されたサムネイル（縮小動画像４０２）を読み出して、表示部１０１の表示画面内の各表示エリアにて、本発明に係るサムネイル（縮小動画像４０２）を一覧表示する。
【００８７】
ステップＳＴ１４において、検出部２０６において、横長画像に対応した縮小画像がないと検出した場合、詳細には予め規定されたサイズの画像、具体的には縦横比が３：４の通常画像に対応するサムネイル（静止画縮小画像）を記憶装置１０６から読み出して、リンクテーブルＴＢ１に基づいて、表示部１０１のサムネイル表示枠１０にて、一覧表示を行い、ステップＳＴ１５の処理に進む。
【００８８】
ステップＳＴ１５において、制御部２００は、たとえばキー操作部１０２から、表示部１０１に一覧表示されたサムネイルの中から、所望のサムネイルを選択させる指示を示す信号が入力されたか否かを判断し、その選択指示を示す信号が入力された場合にステップＳＴ１６の処理に進み、選択指示を示す信号が入力されていないと判断した場合に一連の処理を終了する。
【００８９】
ステップＳＴ１６において、制御部２００は、たとえばキー操作部１０２により入力された選択指示信号およびリンクテーブルＴＢ１に基づいて、その選択されたサムネイル（縮小動画像）に対応する元の画像を記憶装置１０６から読み出して、表示部１０１に表示する。
【００９０】
以上、説明したように、本実施形態では、表示部１０１にて一覧表示を行う対象の複数の縮小画像のうち横長画像３０１に対応した縮小画像があるか否かを検出する検出部２０６と、複数の縮小画像を表示画面１０１ａの表示エリア群（サムネイル表示枠）に一覧表示し、検出部２０６により横長画像３０１に対応した縮小画像があると検出した場合に、横長画像３０１に対応した縮小画像を表示させる各表示エリア（サムネイル表示枠）にて、横長画像３０１に対応した縮小画像を長手方向にスクロールした画像を表示する表示部１０１およびサムネイル表示部２０８とを設けたので、規定された画像サイズと異なるサイズの画像の縮小画像がある場合であっても、煩雑な操作を行うことなく、視認性のよい縮小画像の一覧表示を行うことができる。
【００９１】
詳細には、横長画像に対応した縮小画像を表示させる前記各表示エリアにて、前記横長画像に対応した縮小画像を長手方向に順次ずらした縮小動画像を生成する第１の動画サムネイル生成部２０２ａと、第１の動画サムネイル生成部２０２ａが生成した縮小動画像を記憶する記憶装置１０６と、その横長画像に対応した縮小画像を表示させる各表示エリアにて、記憶装置１０６に記憶されている横長画像に対応した縮小動画像を表示する表示部１０１とを設けたので、ユーザは、表示部１０１に一覧表示されたサムネイルの中で、横長画像に対応した縮小動画像を見ることで、全体像および細部を簡単に把握することができ、かつ複数の画像から所望の画像を短時間で判別することできる。
【００９２】
また、上述したように、予め規定された縦横比と異なる横長画像を、横長画像の縦横比をそのままに予め規定されたサムネイル枠内に収まるように縮小して、小さなサムネイル（縮小画像）を生成せずに、サムネイルの一部分を表示するので、画像の詳細な部分が見えやすい利点がある。
【００９３】
また、横長画像などの静止画像を適度に縮小したサムネイルをスクロールさせてサムネイル表示を行うので、元の画像の全体を把握しやすい利点がある。
【００９４】
また、動画サムネイル切替部２０７により、動画サムネイルと通常のサムネイルの表示を切り替えることで、ユーザが各画像にどのように表示するかを選択することができ、さまざまな用途に対応することができる。
【００９５】
また、予め全画像のサムネイル表示の表示形式を動画サムネイルまたは静止画サムネイルに設定することで、各画像にいちいち設定しなくともよい利点がある。
【００９６】
〔第２実施形態〕
図６は、本発明の第２実施形態に係る画像表示装置１００のサムネイル表示時の動作を説明するための図である。
【００９７】
第２実施形態と第１実施形態との相違点を中心に説明する。
【００９８】
第２実施形態に係る画像表示装置１００では、たとえば図２に示すように、元画像が所定の画素数以上の高精細画像５０１の場合に、高精細画像５０１に対応した縮小画像５０２を順次ずらした（スライドした）画像５０３を、サムネイル表示枠１０内に表示させる。
【００９９】
本実施形態に係る画像表示装置１００の機能ブロックは図２に示した機能ブロックと略同様であり、同様な機能を有する機能ブロックについては説明を省略し、相違点を中心に説明する。
【０１００】
サムネイル生成部２０１は、第２の動画サムネイル生成部２０２ｂを有する。
【０１０１】
第２の動画サムネイル生成部２０２ｂは、たとえば図６に示すように、高精細画像５０１に対応した縮小画像を表示させる各表示エリア（サムネイル表示枠１０）にて、高精細画像５０１に対応した縮小画像５０２を順次ずらした（スライドした）縮小動画像５０４を生成する。
【０１０２】
元画像関連付け部２０４は、第２の動画サムネイル生成部２０２ｂが生成した縮小動画像５０４と元の画像とを関連付けるリンクテーブルＴＢ１を生成する。
【０１０３】
また、サムネイル記憶部２０５は、リンクテーブルＴＢ１に基づいて、第２の動画サムネイル生成部２０２ｂが生成した縮小動画像５０４を記憶装置１０６に記憶する。
【０１０４】
また、本実施形態に係る検出部２０６は、表示部１０１にて一覧表示を行う縮小画像に所定の画素数以上の高精細画像に対応した縮小画像があるか否かを検出する。
【０１０５】
本実施形態に係る検出部２０６は、本発明に係る高精細画像検出手段の一例に相当する。
【０１０６】
サムネイル表示部２０８は、検出部２０６により高精細画像５０１に対応した縮小画像があると検出した場合に、高精細画像に対応した縮小画像を表示させる各表示エリア（サムネイル表示枠１０）にて、その高精細画像に対応した縮小画像５０２を順次ずらした縮小動画像５０３を表示する。
【０１０７】
図７は、図６に示した画像表示装置１００のサムネイル（縮小画像）生成時の動作の一具体例を説明するためのフローチャートである。
【０１０８】
図７を参照しながら、画像表示装置１００のサムネイル生成時の動作を、第１実施形態との相違点を中心に説明する。
【０１０９】
ステップＳＴ１において、制御部２００は、一覧表示を終了するか否かを判断する。
たとえば制御部２００は、キー操作部１０２から入力された信号を基に、一覧表示を終了するか否かを判断し、判断の結果一覧表示を終了しないと判断した場合に、ステップ２の処理に進み、終了すると判断した場合に縮小画像（サムネイル）生成に関する処理を終了する。
【０１１０】
ステップＳＴ２において、制御部２００は、たとえば記憶装置１０６に記憶されている画像から一覧表示する画像を特定する。
【０１１１】
ステップＳＴ３ａにおいて、サムネイル生成部２０１は、元の画像が所定の画素数以上の高精細画像５０２であるか否かを判断し、元の画像が高精細画像５０２であると判断した場合にステップＳＴＳＴ５ａの処理に進み、高精細画像５０２でないと判断した場合にステップＳＴ４の処理に進む。
【０１１２】
ステップＳＴ５ａにおいて、第２の動画サムネイル生成部２０２ｂは、たとえば図６に示すように、高精細画像５０１に対応した縮小画像を表示させる各表示エリア（サムネイル表示枠１０）にて、高精細画像５０１に対応した縮小画像５０２を順次ずらした（スライドした）縮小動画像５０４を生成する。
【０１１３】
この際、第２の動画サムネイル生成部２０２ｂは、画像内の被写体を認識できる範囲内でサムネイル（縮小画像５０１）を生成することが好ましい。
【０１１４】
以下、ステップＳＴ６〜ＳＴ８については、図４に示した第１実施形態と略同様であり、横長画像を高精細画像と読み替えればよいので説明を省略する。
【０１１５】
サムネイル（縮小画像、縮小動画像）を表示する動作に関しても、図５に示した第１実施形態と略同様であり、横長画像を高精細画像と読み替えればよいので説明を省略する。
【０１１６】
相違点は、検出部２０６が、表示部１０１にて一覧表示を行う縮小画像に所定の画素数以上の高精細画像５０１に対応した縮小画像があると検出した場合に、図６に示すように、サムネイル表示部２０８は、高精細画像５０１に対応した縮小画像を表示させる各表示エリア（サムネイル表示枠１０）にて、高精細画像５０１に対応した縮小画像５０２を順次ずらした画像５０３を表示部１０１に表示する点である。
【０１１７】
詳細には、サムネイル表示部２０８は、高精細画像５０１に対応した縮小画像を表示させる各表示エリア（サムネイル表示枠１０）にて、メモリ１０５に記憶しているリンクテーブルＴＢ１に基づいて、記憶装置１０６に記憶されている高精細画像に対応した縮小動画像５０３を表示する。
【０１１８】
以上、説明したように本実施形態に係る画像表示装置１００は、予め規定されたサイズ、たとえば所定の画素数以上の高精細画像をサムネイル一覧表示する場合であっても、各表示エリア（サムネイル表示枠１０）にて、高精細画像５０１に対応した縮小画像５０２をスクロールした縮小動画像５０３を表示部１０１に表示するので、ユーザは、高精細画像のサムネイルの全体像と細部を簡単に把握することができ、かつ複数の画像から所望の画像を短時間で判別することできる。
【０１１９】
〔第３実施形態〕
図８は、本発明の第３実施形態に係る画像表示装置１００のサムネイル表示時の動作を説明するための図である。
【０１２０】
第３実施形態と第１実施形態との相違点を中心に説明する。
【０１２１】
第３実施形態に係る画像表示装置１００では、たとえば図８に示すように、サムネイルの処理対象として横長画像３０１がある場合に、その横長画像３０１に対応した縮小画像を表示させる各表示エリア（サムネイル表示枠１０）にて、横長画像３０１に対応した縮小画像を順次拡大する表示または横長画像３０１に対応した縮小画像を拡大した画像を順次縮小表示する。
【０１２２】
つまり縮小画像を徐々に拡大表示または縮小画像を拡大した画像を徐々に縮小表示する。
【０１２３】
詳細には、図８に示すように、本実施形態に係る画像表示装置１００は、横長画像３０１に対応した縮小画像６０１１、縮小画像６０１１の中央部を拡大した画像６０１２、さらに縮小画像６０１２の中央部を拡大した画像６０１３、さらに縮小画像６０１３の中央部を拡大した画像６０１４を順次表示する。
【０１２４】
また、逆に、図８に示すように、本実施形態に係る画像表示装置１００は、画像６０１４，画像６０１３，画像６０１２，画像６０１１を順次表示する。
【０１２５】
この際、画像表示装置１００は、上述した順次拡大表示と順次縮小表示を交互に行うことで、横長画像３０１のサムネイルのズームアップおよびズームダウン表示を行ってもよい。
【０１２６】
本実施形態に係る画像表示装置１００の機能ブロックは図２に示した機能ブロックと略同様であり、同様な機能を有する機能ブロックについては説明を省略し、相違点を中心に説明する。
【０１２７】
サムネイル生成部２０１は、第３の動画サムネイル生成部２０２ｃを有する。
【０１２８】
第３の動画サムネイル生成部２０２ｃは、たとえば図８に示すように、横長画像３０１に対応した縮小画像を表示させる各表示エリア（サムネイル表示枠１０）にて、横長画像３０１に対応した縮小画像６０１１が順次拡大する縮小動画像６０２、または横長画像３０１に対応した縮小画像６０１１を拡大した画像６０１４を順次縮小する縮小動画像６０２を生成する。
【０１２９】
記憶制御部２０３は、第３の動画サムネイル生成部２０２ｃが生成した縮小動画像６０２を記憶装置１０６に記憶する。
【０１３０】
詳細には、元画像関連付け部２０４は、第３の動画サムネイル生成部２０２ｃが生成した縮小動画像６０２と元画像とを関連付けるリンクテーブルＴＢ１を生成してメモリ１０５に記憶する。
【０１３１】
サムネイル記憶部２０５は、元画像関連付け部２０４により生成されたリンクテーブルＴＢ１を基に、第３の動画サムネイル生成部２０２ｃが生成した縮小動画像６０２を記憶装置１０６に記憶する。
【０１３２】
サムネイル表示部２０８は、横長画像３０１に対応した縮小画像を表示させる各表示エリア（サムネイル表示枠１０）にて、記憶装置１０６に記憶されている横長画像３０１に対応した縮小動画像６０２を表示する。
【０１３３】
図９は、本発明の第３実施形態に係る画像表示装置１００のサムネイル（縮小画像）生成時の動作の一具体例を説明するためのフローチャートである。
【０１３４】
図９を参照しながら画像表示装置１００のサムネイル生成時の動作を、第１実施形態との相違点を中心に説明する。
【０１３５】
ステップＳＴ１において、制御部２００は、一覧表示を終了するか否かを判断する。
たとえば制御部２００は、キー操作部１０２から入力された信号を基に、一覧表示を終了するか否かを判断し、判断の結果一覧表示を終了しないと判断した場合に、ステップ２の処理に進み、終了すると判断した場合に縮小画像（サムネイル）生成に関する処理を終了する。
【０１３６】
ステップＳＴ２において、制御部２００は、たとえば記憶装置１０６に記憶されている画像から一覧表示する画像を特定する。
【０１３７】
ステップＳＴ２３において、サムネイル生成部２０１は、たとえば元の画像が予め規定されたサイズ、たとえば縦横比が３：４の画像と異なる横長画像（縦横比が１：５等）であるか否かを判断し、横長画像であると判断した場合にステップＳＴ２４の処理に進み、横長画像でないと判断した場合にステップＳＴ２６の処理に進む。
【０１３８】
ステップＳＴ２４において、第３の動画サムネイル生成部２０２ｃは、たとえば図８に示すように、画像の大きさから画像をサムネイル表示枠に収まる第１の縮小率と、被写体を確認できるように元画像とサムネイル表示枠の大きさの比から計算される第２の縮小率を求める。
【０１３９】
ステップＳＴ２５において、第３の動画サムネイル生成部２０２ｃは、第１および第２の縮小率の範囲内で横長画像３０１のズームアップ／ズームダウンする縮小動画像６０２を生成する。
【０１４０】
詳細には第３の動画サムネイル生成部２０２ｃは、図８に示すように、画像６０１（画像６０１１〜６０１４）を生成して、その画像６０１１〜６０１４をまとめて縮小動画像６０２を生成する。
【０１４１】
ステップＳＴ２６において、サムネイル生成部２０１は、画像が横長画像でなければ、サムネイル表示枠１０に収まるように画像を縮小してサムネイル（縮小画像）を生成し、ステップＳＴ２７の処理に進む。
【０１４２】
ステップＳＴ２７において、元画像関連付け部２０４は、サムネイル生成部２０１や第３の動画サムネイル生成部２０２ｃにより生成されたサムネイル（縮小動画像６０２）に元画像へのリンクを付けてリンクテーブルＴＢ１を生成する。
【０１４３】
ステップＳＴ２８において、サムネイル記憶部２０５は、サムネイル生成部２０１や第３の動画サムネイル生成部２０２ｃにより生成されたサムネイル（縮小動画像６０２）を、リンクテーブルＴＢ１に基づいて記憶装置１０６に保存（記憶）し、ステップＳＴ１の処理に戻る。
【０１４４】
次に、生成したサムネイル（縮小画像、縮小動画像）を表示する動作を説明する。
【０１４５】
サムネイル（縮小画像、縮小動画像）を表示する動作に関しても、図５に示した第１実施形態と略同様であるので、同様な点については説明を省略する。
【０１４６】
相違点は、検出部２０６は、一覧表示を行う対象の複数の縮小画像のうちに横長画像に対応した縮小画像があるか否かを検出し、サムネイル表示部２０８は、検出部２０６により横長画像３０１に対応した縮小画像があると検出した場合に、横長画像３０１に対応した縮小画像を表示させる各表示エリア（サムネイル表示枠１０）にて、横長画像３０１に対応した縮小画像を順次拡大する表示または横長画像３０１に対応した縮小画像を拡大した画像を順次縮小表示する点である。
【０１４７】
詳細には、サムネイル表示部２０８は、横長画像３０１に対応した縮小画像を表示させる各表示エリア（サムネイル表示枠１０）にて、メモリ１０５に記憶しているリンクテーブルＴＢ１に基づいて、記憶装置１０６に記憶されている横長画像に対応した縮小動画像６０３を表示する。
【０１４８】
以上、説明したように、本実施形態に係る画像表示装置１００は、表示部１０１にて一覧表示を行う対象の複数の縮小画像のうちに横長画像３０１に対応した縮小画像があるか否かを検出する検出部２０６と、検出部２０６により横長画像３０１に対応した縮小画像があると検出した場合に、横長画像３０１に対応した縮小画像を表示させる各表示エリア（フレイム表示枠１０）にて、横長画像３０１に対応した縮小画像を順次拡大する表示または横長画像に対応した縮小画像を拡大した画像を順次縮小表示する、つまり縮小画像をズームアップ／ズームダウンする表示部１０１とを設けたので、ユーザは、サムネイルが縮小した場合に全体像を把握することができ、サムネイルが拡大した場合に細部を把握することができ、かつ複数の画像から所望の画像を短時間で判別することできる。
【０１４９】
〔第４実施形態〕
図１０は、本発明の第４実施形態に係る画像表示装置１００のサムネイル表示時の動作を説明するための図である。
【０１５０】
第４実施形態と第１実施形態との相違点を中心に説明する。
【０１５１】
第４実施形態に係る画像表示装置１００では、たとえば図１０に示すように、サムネイルの処理対象として横長画像３０１がある場合に、横長画像３０１に対応した縮小画像を表示させる各表示エリア（サムネイル表示枠１０）にて、横長画像３０１に対応した縮小画像７０２と当該縮小画像を拡大した画像７０１とを規定されたタイミングで切り替え表示および／または回転表示する。
たとえば画像中を通る回転軸ＣＬを基準として順次回転表示する。
【０１５２】
詳細には、本実施形態に係る画像表示装置１００は、図１０に示すように、一覧表示のサムネイル表示枠１０内で、たとえば画像７０１と画像７０２それぞれの背面を、あたかも張り合わせて画像中心を通る縦軸を回転軸ＣＬとして回転しているかのように表示させる。
【０１５３】
この際、回転方向は逆でもよいし、画像の中心を通る横軸を回転軸としてあたかも回転しているかのように画像７０１，７０２を表示させてもよい。
【０１５４】
本実施形態に係る画像表示装置１００の機能ブロックは図２に示した機能ブロックと略同様であり、同様な機能を有する機能ブロックについては説明を省略し、相違点を中心に説明する。
【０１５５】
サムネイル生成部２０１は、第４の動画サムネイル生成部２０２ｄを有する。
【０１５６】
第４の動画サムネイル生成部２０２ｄは、横長画像３０１に対応した縮小画像７０２を表示させる各表示エリア（サムネイル表示枠１０）にて、横長画像３０１に対応した縮小画像７０２と当該縮小画像７０２を拡大した画像と規定されたタイミングで切り替えかつ画像中心を通る縦軸を回転軸として順次回転表示する。
【０１５７】
ここで、本実施形態では、タイミングによる切り替え表示と共に回転表示を行う例を示したが、単に切り替え表示または回転表示のみを行う態様であってもかまわない。
【０１５８】
具体的には、第４の動画サムネイル生成部２０２ｄは、たとえば図１０に示すように、横長画像３０１に対応した縮小画像７０２と、その縮小画像７０２の図に向かって右側を手前に、左側を奥になるように画像中心を通る縦軸を中心に回転させた画像７０２１と、その縮小画像７０２の図に向かって右側を奥に、左側を手前になるように画像中心を通る縦軸を中心に回転させた画像７０２２と、縮小画像７０２を拡大した画像７０１と、その画像７０１の図に向かって右側を手前に、左側を奥になるように画像中心を通る縦軸を中心に回転させた画像７０１１と、その縮小画像７０１の図に向かって右側を奥に、左側を手前になるように画像中心を通る縦軸を中心に回転させた画像７０１２とを生成して、画像７０１，７０１１，７０２２，７０２，７０２１，７０１２を合わせて画像７０３を生成し、そして画像７０１，７０１１，７０２２，７０２，７０２１，７０１２，７０１，…と順次表示するような縮小動画像７０４を生成する。
【０１５９】
記憶制御部２０３は、第４の動画サムネイル生成部２０２ｄが生成した縮小動画像７０４を記憶装置１０６に記憶する。
詳細には、元画像関連付け部２０４は、第４の動画サムネイル生成部２０２ｄが生成した縮小動画像７０４と元画像とを関連付けるリンクテーブルＴＢ１を生成してメモリ１０５に記憶する。
【０１６０】
サムネイル記憶部２０５は、元画像関連付け部２０４により生成されたリンクテーブルＴＢ１を基に、第４の動画サムネイル生成部２０２ｄが生成した縮小動画像７０４を記憶装置１０６に記憶する。
【０１６１】
サムネイル表示部２０８は、横長画像３０１に対応した縮小画像を表示させる各表示エリア（サムネイル表示枠１０）にて、記憶装置１０６に記憶されている横長画像３０１に対応した縮小動画像７０４を表示する。
【０１６２】
図１１は、本発明の第４実施形態に係る画像表示装置１００のサムネイル（縮小画像）生成時の動作の一具体例を説明するためのフローチャートである。
【０１６３】
図１１を参照しながら画像表示装置１００のサムネイル生成時の動作を、第１実施形態との相違点を中心に説明する。
【０１６４】
ステップＳＴ１において、制御部２００は、一覧表示を終了するか否かを判断する。
たとえば制御部２００は、キー操作部１０２から入力された信号を基に、一覧表示を終了するか否かを判断し、判断の結果一覧表示を終了しないと判断した場合に、ステップ２の処理に進み、終了すると判断した場合に縮小画像（サムネイル）生成に関する処理を終了する。
【０１６５】
ステップＳＴ２において、制御部２００は、たとえば記憶装置１０６に記憶されている画像から一覧表示する画像を特定する。
【０１６６】
ステップＳＴ３３において、サムネイル生成部２０１は、たとえば元の画像が予め規定されたサイズ、たとえば縦横比が３：４の画像と異なる横長画像（縦横比が１：５等）であるか否かを判断し、横長画像であると判断した場合にステップＳＴ３４の処理に進み、横長画像でないと判断した場合にステップＳＴ３６の処理に進む。
【０１６７】
ステップＳＴ３４において、第４の動画サムネイル生成部２０２ｄは、たとえば図１０に示すように、画像の大きさから画像をサムネイル表示枠に収まる第１の縮小率と、被写体を確認できるように元画像とサムネイル表示枠の大きさの比から計算される第２の縮小率を求め、横長画像３０１を第１の縮小率で縮小した画像７０２と、横長画像３０１を第２の縮小率で縮小した画像７０１とを生成する。
【０１６８】
ステップＳＴ３５において、第４の動画サムネイル生成部２０２ｄは、あたかも画像７０１，７０２の裏面を張り合わせて、張り合わせた画像が画像の中心を通る縦軸を回転軸として回転しているかのような縮小動画像７０４を生成する。
【０１６９】
詳細には、上述したように、第４の動画サムネイル生成部２０２ｄは、たとえば図１０に示すように、横長画像３０１に対応した縮小画像７０２と、その縮小画像７０２の図に向かって右側を手前に、左側を奥になるように画像中心を通る縦軸を中心に回転させた画像７０２１と、その縮小画像７０２の図に向かって右側を奥に、左側を手前になるように画像中心を通る縦軸を中心に回転させた画像７０２２と、縮小画像７０２を拡大した画像７０１と、その画像７０１の図に向かって右側を手前に、左側を奥になるように画像中心を通る縦軸を中心に回転させた画像７０１１と、その縮小画像７０１の図に向かって右側を奥に、左側を手前になるように画像中心を通る縦軸を中心に回転させた画像７０１２とを生成して、画像７０１，７０１１，７０２２，７０２，７０２１，７０１２を合わせて画像７０３を生成し、そして画像７０１，７０１１，７０２２，７０２，７０２１，７０１２，７０１，…と順次表示するような縮小動画像７０４を生成する。
【０１７０】
ステップＳＴ３６において、サムネイル生成部２０１は、画像が横長画像でなければ、サムネイル表示枠１０に収まるように画像を縮小してサムネイル（縮小画像）を生成し、ステップＳＴ３７の処理に進む。
【０１７１】
ステップＳＴ３７において、元画像関連付け部２０４は、サムネイル生成部２０１や第４の動画サムネイル生成部２０２ｄにより生成されたサムネイル（縮小動画像７０４）に元画像へのリンクを付けてリンクテーブルＴＢ１を生成する。
【０１７２】
ステップＳＴ３８において、サムネイル記憶部２０５は、サムネイル生成部２０１や第４の動画サムネイル生成部２０２ｄにより生成されたサムネイル（縮小動画像７０４）を、リンクテーブルＴＢ１に基づいて記憶装置１０６に保存（記憶）し、ステップＳＴ１の処理に戻る。
【０１７３】
次に、生成したサムネイル（縮小画像、縮小動画像）を表示する動作を説明する。
【０１７４】
サムネイル（縮小画像、縮小動画像）を表示する動作に関しても、図５に示した第１実施形態と略同様であるので、同様な点については説明を省略する。
【０１７５】
相違点は、検出部２０６は、一覧画面表示を行う対象の複数の縮小画像のうちに横長画像に対応した縮小画像があるか否かを検出し、サムネイル表示部２０８は、検出部２０６により横長画像３０１に対応した縮小画像があると検出した場合に、横長画像３０１に対応した縮小画像を表示させる各表示エリア（サムネイル表示枠１０）にて、横長画像３０１に対応した縮小画像７０２と当該縮小画像７０２を拡大した画像とを規定されたタイミングで切り替え表示および／または回転表示する点である。
【０１７６】
詳細には、サムネイル表示部２０８は、横長画像３０１に対応した縮小画像を表示させる各表示エリア（サムネイル表示枠１０）にて、メモリ１０５に記憶しているリンクテーブルＴＢ１に基づいて、記憶装置１０６に記憶されている横長画像に対応した縮小動画像７０４を表示する。
【０１７７】
以上、説明したように、本実施形態に係る画像表示装置１００は、横長画像３０１に対応した縮小画像７０２と当該縮小画像７０２を拡大した画像とを規定されたタイミングで切り替えかつ画像中心を通る縦軸を回転軸として順次回転表示するので、横長画像３０１のサムネイルの全体像と細部を簡単に把握することができ、かつ複数の画像から所望の画像を短時間で判別することできる。
【０１７８】
また、あたかも回転しているように表示するので、横長画像のサムネイルを表示していることをユーザに確実に報知することができる。
【０１７９】
なお、本発明は本実施の形態に限られるものではなく、任意好適な種々の改変が可能である。
【０１８０】
上述した第３および第４実施形態では、横長画像について説明したがこの形態に限られるものではない。
高精細画像について同様に各実施形態の動作を行ってもよい。
【０１８１】
また、上述した実施形態では横長画像や高精細画像に対応する縮小画像をスクロールして表示する縮小動画像を表示したが、この形態に限られるものではない。
たとえば、複数の静止画を、あたかも上述したスクロール表示を行うような複数個の縮小画像を生成して、その複数個の縮小画像を切り替えて表示することで、スクロール表示を行うように表示してもよい。
【産業上の利用可能性】
【０１８２】
本発明は、たとえば、画像のサムネイル（縮小画像）を一覧表示する画像表示装置に適用することができる。
【符号の説明】
【０１８３】
１００…画像表示装置、１０１…表示部、１０２…キー操作部、１０３…撮像部、１０４…通信部、１０５…メモリ、１０６…記憶装置、２００…制御部（ＣＰＵ：Central processing unit）、２０１…サムネイル生成部、２０２ａ…第１の動画サムネイル生成部、２０２ｂ…第２の動画サムネイル生成部、２０２ｃ…第３の動画サムネイル生成部、２０２ｄ…第４の動画サムネイル生成部、２０３…記憶制御部、２０４…元画像関連付け部、２０５…サムネイル記憶部、２０６…検出部、２０７…動画サムネイル切替部、２０８…サムネイル表示部、２０９…画像選択処理部。
【図１】
2010104013.tif 000003
【図２】
2010104013.tif 000004
【図３】
2010104013.tif 000005
【図４】
2010104013.tif 000006
【図５】
2010104013.tif 000007
【図６】
2010104013.tif 000008
【図７】
2010104013.tif 000009
【図８】
2010104013.tif 000010
【図９】
2010104013.tif 000011
【図１０】
2010104013.tif 000012
【図１１】
2010104013.tif 000013
【図１２】
2010104013.tif 000014